(57)【要約】      （修正有）【課題】簡単に組立分離可能で、軽量な積算電力計用読取センサの支持装置を提供する。【解決手段】支持装置１０は、積算電力計の内部に設置されている電力使用量計数カウンタの計数値を読み取る読取センサを保持するものであって、第１，第３プレート２０，２２，２４を備えている。プレート２０は、積算電力計の前面側に配置され、センサの測定用光線の投射，受光を可能にする貫通窓孔２６を有し、プレート２２は、プレート２０の上端側に着脱可能に取付けられ、前面ガラスカバーの上面側に延設され、プレート２４は、プレート２２の上面に積層固設され、センサを着脱可能に保持する。プレート２２は、プレート２０を積算電力計の前面ガラスカバーの前面側に設置した際に、前面ガラスカバーの支持枠に吸着する磁石４２を有している。【選択図】図１
2011185700.tif 000002
【特許請求の範囲】
【請求項１】
積算電力計の前面ガラスカバー上に配置され、前記積算電力計の内部に設置されている電力使用量計数カウンタの計数値を読み取る光学式読取センサの支持装置において、
前記支持装置は、軽量な板材から形成された第１から第３プレートを備え、
前記第１プレートは、前記積算電力計の前面側に配置され、前記第３プレートに着脱可能に保持された前記読取センサの測定用光線の投射，受光を可能にする貫通窓孔を有し、
前記第２プレートは、前記第１プレートの上端側に着脱可能に取付けられ、取付け状態において、前記前面ガラスカバーの上面側に延設され、
前記第３プレートは、前記第１プレートの上面に積層固設され、前記読取センサを着脱可能に保持するものであり、
前記第２プレートは、前記第１プレートを前記前面ガラスカバーの前面側に設置した際に、前記前面ガラスカバーの支持枠に吸着する磁石を有することを特徴とする積算電力計用読取センサの支持装置。
【請求項２】
前記第２プレートは、前記第１プレートに蝶ナットにより着脱可能に取付けられることを特徴とする請求項１記載の積算電力計用読取センサの支持装置。
【請求項３】
前記第２プレートは、前記第１プレートにローレット加工ネジにより着脱可能に取付けられることを特徴とする請求項１記載の積算電力計用読取センサの支持装置。
【請求項４】
前記第３プレートは、前記読取センサの側方に当接して、側方移動を規制する一対のガイド凸部と、前記読取センサに取付けられる係止片に挿入される係止突起部とを有することを特徴とする請求項１から３のいずれか１項記載の積算電力計用読取センサの支持装置。
【請求項５】
前記第１プレートは、下端に伸縮ロッドが着脱可能に取付けられるナットを有することを特徴とする請求項１から４のいずれか１項記載の積算電力計用読取センサの支持装置。
【発明の詳細な説明】
【技術分野】
【０００１】
本発明は、積算電力計用読取センサの支持装置に関し、特に、読取センサが電気使用料金の計算に使用される積算電力計の計数値を正確に読み取ることができるように固定支持する装置に関するものである。
【背景技術】
【０００２】
一般家庭や商店，事業所などに設置されている積算電力計は、使用電力量やこれに基づいて電気使用料金を算出する際には、積算電力計の内部に設置されている電力使用量計数カウンタの計数値を、月ごとに読み取り、使用料金を算出している。
【０００３】
このような積算電力計における計数カウンタの計数値の読取は、従来から電力会社の検針員が、積算電力計が設置されている一般家庭などを定期的に訪問して、目視により計数値を読み取っているのが実情である。
【０００４】
しかしながら、このような積算電力計の計数値の読取には、以下に説明する課題があった。
【発明の開示】
【発明が解決しようとする課題】
【０００５】
すなわち、検針員が行う目視作業による積算電力計の計数値の読取では、読取誤差が発生しやすく、また、目視による計数値の読み取りに基づいて、電力使用料金を請求する場合には、事後において、事実確認及びその検証が難しく、トラブルの発生要因になっていた。
【０００６】
そこで、近時、検針員が行う目視作業による計数値の読取に変えて、光学式の読取センサに代替することが検討されており、このような方法で積算電力計の計数値を読み取ると、読取誤差の発生が少なくなり、また、後日に行う事実確認の検証も簡単になることが期待されている。
【０００７】
ところが、この種の読取センサで積算電力計の計数値を読み取ろうとすると、所定時間読取センサを固定しなければ、精度良く読取を行うことができないが、このような用途に用いる支持装置が提供されておらず、他の用途に用いられている支持装置を転用しようとしても、重量の関係や組立易さなどに問題があった。
【０００８】
本発明は、このような問題点に鑑みてなされたものであって、その目的とするところは、積算電力計に読取センサを簡単に固定することが可能で、また、簡単に組立分離可能で、かつ、軽量な積算電力計用読取センサの支持装置を提供することにある。
【課題を解決するための手段】
【０００９】
上記目的を達成するために、本発明は、積算電力計の前面ガラスカバー上に配置され、前記積算電力計の内部に設置されている電力使用量計数カウンタの計数値を読み取る光学式読取センサの支持装置において、前記支持装置は、軽量な板材から形成された第１から第３プレートを備え、前記第１プレートは、前記積算電力計の前面側に配置され、前記第３プレートに着脱可能に保持された前記読取センサの測定用光線の投射，受光を可能にする貫通窓孔を有し、前記第２プレートは、前記第１プレートの上端側に着脱可能に取付けられ、取付け状態において、前記前面ガラスカバーの上面側に延設され、前記第３プレートは、前記第１プレートの上面に積層固設され、前記読取センサを着脱可能に保持するものであり、
前記第２プレートは、前記第１プレートを前記前面ガラスカバーの前面側に設置した際に、前記前面ガラスカバーの支持枠に吸着する磁石を有している。
【００１０】
上記構成の読取センサの支持装置によれば、支持装置は、軽量な板材から形成された第１から第３プレートで構成されているので、軽量化されていて、女性の検針員でも簡単に運搬することができる。
【００１１】
また、第２プレートは、第１プレートの上端側に着脱可能に取付けられているので、第２プレートを第１プレートから脱着すると、２つのプレート材になって、より一層運搬性に優れた構造になっている。
【００１２】
さらに、積算電力計の計数カンウンタの計数値を読み取る際には、読取センサを第３プレートに取付けた状態で、第２プレートを第１プレートの上端に取付けて、第１プレートを積算電力計の前面ガラスカバーの前面側に配置し、ガラスカバーの上面に沿って伸びる第２プレートの磁石を、前面ガラスカバーの支持枠に吸着すると、読取センサが所定の位置に固定されて、貫通窓孔から測定用光線の投射，受光を行うと、積算電力計の内部に設置されている電力使用量計数カウンタの計数値を読み取ることができる。
【００１３】
読取が終了すると、支持枠から磁石を離間させると、読取センサを保持した支持装置を積算電力計の前面ガラスカバーから離脱させることができる。
【００１４】
前記第２プレートは、前記第１プレートに蝶ナットにより着脱可能に取付けることができる。
【００１５】
前記第２プレートは、前記第１プレートにローレット加工ネジにより着脱可能に取付けることができる。
【００１６】
前記第３プレートは、前記読取センサの側方に当接して、側方移動を規制する一対のガイド凸部と、前記読取センサに取付けられる係止片に挿入される係止突起部とを有することができる。
【００１７】
前記第１プレートは、下端に伸縮ロッドが着脱可能に取付けられるナットを有することができる。
【発明の効果】
【００１８】
本発明の積算電力計用読取センサの支持装置よれば、積算電力計に読取センサを簡単に固定することが可能で、また、簡単に組立分離可能で、かつ、軽量で可搬性に優れたものでもある。
【発明を実施するための最良の形態】
【００１９】
以下、本発明の好適な実施の形態について、添付図面に基づいて詳細に説明する。図１〜図５は、本発明に係る積算電力計用読取センサの支持装置の第１実施例を示している。
【００２０】
これらの図に示した支持装置１０は、図５に使用状態を示すように、積算電力計１２の前面ガラスカバー１４上に配置され、積算電力計１２の内部に設置されている電力使用量計数カウンタ（図示省略）の計数値を読み取る光学式読取センサ１６を支持するものであり、前面ガラスカバー１４は、透明なものであって、奥側に配置された鉄製のリング状支持枠１８により固定支持されている。
【００２１】
本実施例の支持装置１０は、軽量な板材、例えば、アルミニウムや鉄などの薄い金属板や、薄いプラスチック板で形成された第１プレート２０と、第２プレート２２及び第３プレート２４を備えている。
【００２２】
第１プレート２０は、積算電力計１２の前面側に配置されるものであって、全体形状が比較的細長い長方形状であって、側面が略Ｚ字状に形成された本体２５を有しており、第３プレート２４に着脱可能に係止された読取センサ１６の測定用光線の投射，受光を可能にする貫通窓孔２６が設けられている。
【００２３】
貫通窓孔２６は、本実施例の場合には、第１プレート２０の本体２５の上部側にあって、角形形状になっており、この貫通窓孔２６の下方には、ほぼ同じ形状の角孔２７が穿設されていて、第１プレート２０の軽量化を図っている。
【００２４】
また、第１プレート２０の上端には、第１プレート２０の本体２５の主面に対してほぼ直交するように、背面側に折曲された上フランジ部２８が設けられ、さらに、その下端側には、本体２５の主面に対してほぼ直交するように、前面側に折曲された下フランジ部３０が設けられている。
【００２５】
上フランジ部２８は、第２プレート２２を着脱可能に取付けるために設けられており、上フランジ部２８のほぼ中央には、蝶ナット３２が螺着されるボルト３４が上方に突設するように固定されている。
【００２６】
また、上フランジ部２８には、ボルト３４を挟んでその両側に一対の位置決め突起３５が突設されており、この位置決め突起３５は、後述する第２プレート２２に貫通形成された位置決め孔４８が嵌合するようになっている。
【００２７】
さらに、下フランジ部３０には、貫通円孔３６が穿設され、この円孔３６の上面には、後述する第２実施例で用いる伸縮ロッドの取付けが可能なナット３７が固設されている。
【００２８】
第２プレート２２は、第１プレート２０の上端側に着脱可能に取付けられ、取付け状態において、前面ガラスカバー１４の上面側に延設される。本実施例の場合、第２プレート２２は、全体形状がほほ正方形状に形成された本体３８を有し、本体３８の中央に貫通角孔３９が穿設されていて、重量軽減が図られている。
【００２９】
第２プレート２２の本体３９の一端側（先端側）には、側方側から前方に突出する突出部４０が一対形成され、この突出部４０の下面には、薄い板状の永久磁石４２が、接着剤や両面テープなどにより固設されている。磁石４２の固設位置は、突出部４０と先端同士が一致するようになっている。なお、磁石４２の固設位置は、突出部４０から前方に突出する形態でもよい。
【００３０】
また、第２プレート２２の他端側（基端側）には、本体３９の主面に対して、上方に隆起する段部４４が設けられている。この段部４４は、第２プレート２２を第１プレート２０に取付ける際に、第１プレート２０の上フランジ部２８上に載置されるものである。
【００３１】
段部４４には、中央に上フランジ部２８に突設されたボルト３４の挿通を可能にする凹状切欠部４６が設けられており、この切欠部４６の両側には、位置決め突起３５と嵌合する一対の位置決め孔４８が位置対応して設けられている。
【００３２】
さらに、段部４４の後端側には、先端側が下方に向けて折曲されたＬ字状の突片５０が一体に設けられている。この突片５０は、第３プレート２４に読取センサ１６を保持させた際に、その上面側から当接して、読取センサ１６の脱落を防止する。
【００３３】
第３プレート２４は、第１プレート２０の上面に積層固設され、読取センサ１６を着脱可能に保持するものであって、図４にその取付け状態の詳細を示している。
【００３４】
本実施例の第３プレート２４は、概略比較的幅の狭い長方形状に形成され、幅方向の両端に読取センサ１６の側方に当接して、センサ１６の側方移動を規制する一対のガイド凸部５２が、対向するように設けられている。
【００３５】
ガイド凸部５２の基端側には、平坦な取付部５４がそれぞれ形成され、一対の取付部５４の間には、取付部５４の上方に隆起する段部５６が設けられている。段部５６の先端には、読取センサ１６に取付けられる係止片５８が挿入される係止突起部６０が設けられている。係止突起部６０は、先端側が略Ｌ字状に屈曲している。
【００３６】
また、一対の取付部５４のほぼ中央には、図４にその詳細を示すように、位置決め孔６２が穿設形成されている。この位置決め孔６２は、第１プレート２０に設けられている位置決め突起６４が挿入される。
【００３７】
このように構成された第３プレート２４は、位置決め孔６２を位置決め突起６４に挿入して、第１プレート２０の上面に位置決めを行った状態で、位置決め孔６２を挟んでその上下方向の位置をスポット溶接（図４に溶接の際のナゲット位置をハッチングで示している）することで積層固設される。
【００３８】
第３プレート２４の積層固設位置は、貫通窓孔２６の下方に係止突起部６０が留まるようにする。つまり、貫通窓孔２６を閉塞することがない位置とする。なお、プレート２０，２４がプラスチックで形成されている場合には、これらを接着剤で固設しても良い。
【００３９】
係止片５８は、細長いプレートを略凹状に折曲したものであって、図３に示すように、読取センサ１６の前面にあって、測定用光線、例えば、赤外線の投射，受光を行う窓部６２の下方にねじにより取り付けられる。
【００４０】
上記構成の支持装置１０を使用して、積算電力計１２の係数値を測定する方法について説明する。図５は、支持装置１０に読取センサ１６を保持させて、積算電力計１２の前面にこれを設置して、計数値を読み取る際の斜視図である。
【００４１】
計数値を読み取る場合には、まず、読取センサ１０を支持装置１６に保持させる。図３は、その際の説明図であり、読取センサ１６は、係止片５８を取り付けた状態で、第３プレート２４のガイド凸部５２間に側面を当接させて、上方から下方にスライド移動させて、係止片５８と読取センサ１６との間に、係止突起部６０を挿入させて保持させる。
【００４２】
次に、第２プレート２２を第１プレート２０に取り付ける。この取付に際しては、第２プレート２２の段部４４を第１プレート２０の上フランジ部２８上に載せる。このとき、ボルト３４を凹状切欠部４６内に挿入させて、その上方に突出するようにする。そして、ボルト３４に蝶ナット３２を螺着して、締め付けると、第２プレート２２は、第１プレート２０の主面に対して、ほぼ直交するようにして取り付けられる。
【００４３】
以上のようにして、第３プレート２４に読取センサ１６を保持させると、第１プレート２０の貫通窓孔３８に対して、読取センサ１６の窓部６２が臨む位置にセットされ、窓部５２から測定用光線の発射，受光が可能になる。
【００４４】
また、第２プレート２２を第１プレート２０に対して蝶ナット３２の螺着により取り付けると、突片５０の先端側が読取センサ１６の裏面側に当接して、読取センサ１６の脱落を引防止する。
【００４５】
読取センサ１６の保持が終了すると、第１プレート２０を積算電力計１２の前面ガラスカバー１４の前面側に配置する。この配置に際しては、光学式読取センサ１６は、比較的広範囲での読み取りが可能なので、積算電力計１２のほぼ中心に読取センサ１６が位置するようにすればよい。
【００４６】
第１プレート２０を前面ガラスカバー１４の前面に当接させると、第１プレート２０の上端に取り付けられた第２プレート２２は、カバー１４の奧側に向かって延設され、その先端に磁石４２が配置されているので、支持装置１０の全体を奥側に少し押し込みようにして、磁石４２を前面ガラスカバー１４の支持枠１８の前端面に当接させると、支持枠１８に吸着する。
【００４７】
磁石４２が支持枠１８に吸着すると、読取センサ１６が所定の位置に固定されるので、その状態を所定時間維持しながら、読取センサ１６を、例えば、遠隔操作などにより駆動して、貫通窓孔２６から測定用光線の投射，受光を行うと、積算電力計１２の内部に設置されている電力使用量計数カウンタの計数値を読み取ることができる。
【００４８】
読取が終了すると、支持装置１０を前側に移動させて、支持枠１８から磁石４２を離間させると、読取センサ１６を保持した支持装置１０を積算電力計１２の前面ガラスカバー１４から離脱させることができる。
【００４９】
測定に用いた読取センサ１６は、上述した保持操作と逆の手順をたどることにより、支持装置１６から脱着することができるとともに、支持装置１６も第１，３プレート２０，２４と第２プレート２２との２つの部材に分解することができる。なお、図３に示した２つの孔６６は、第１および第２プレート２０、２２にそれぞれ設けられていて、分解した際にこれらの孔６６内に紐などを挿通して、連結することで逸失を防止するために用いる。
【００５０】
さて、以上のように構成した読取センサ１６の支持装置１０によれば、支持装置１０は、軽量な板材から形成された第１から第３プレート２０，２２，２４で構成されているので、軽量化されていて、女性の検針員でも簡単に運搬することができる。
【００５１】
また、第２プレート２２は、第１プレート２０の上端側に着脱可能に取付けられているので、第２プレート２２を第１プレート２０から脱着すると、２つのプレート材になって、より一層運搬性に優れた構造になっている。
【００５２】
さらに、積算電力計の計数カンウンタの計数値を読み取る際には、第２プレート２０の磁石４２を、前面ガラスカバー１４の支持枠１６に吸着することで、読取センサ１６が所定の位置に固定されて、貫通窓孔２６から測定用光線の投射，受光を行うと、積算電力計１２の内部に設置されている電力使用量計数カウンタの計数値を読み取ることができ、正確な計数値を得ることができる。
【００５３】
読取が終了すると、支持枠１８から磁石４２を離間させると、読取センサ１６を保持した支持装置１０を積算電力計１２の前面ガラスカバー１４から離脱させることができ、取り外し操作も簡単に行える。
【００５４】
図６から図９は、本発明にかかる積算電力計用読取センサの支持装置の第２実施例を示しており、上記実施例と同一もしくは相当する部分には、同一符号を付してその説明を省略するとともに、以下にその特徴点についてのみ説明する。
【００５５】
これらの図に示した支持装置１０ａは、図９に使用状態を示すように、積算電力計１２ａの前面ガラスカバー１４ａ上に配置され、積算電力計１２ａの内部に設置されている電力使用量計数カウンタ（図示省略）の計数値を読み取る光学式読取センサ１６ａを支持するものであり、前面ガラスカバー１４ａは、透明なものであって、奥側に配置された鉄製のリング状支持枠１８ａにより固定支持されている。
【００５６】
なお、本実施例の場合には、積算電力計１２ａは、第１実施例の場合と異なり、高所に設置されていて、検針員は、脚立などがないとカウンタの係数値の読み取りが困難な状況になっている。
【００５７】
本実施例の支持装置１０ａは、上記第１実施例と同様に、軽量な板材、例えば、アルミニウムや鉄などの薄い金属板や、薄いプラスチック板で形成された第１プレート２０ａと、第２プレート２２ａ及び第３プレート２４ａを備えている。
【００５８】
第１プレート２０ａは、積算電力計１２ａの前面側に配置されるものであって、全体形状が比較的細長い長方形状であって、側面が略Ｚ字状に形成された本体２５ａを有し、第３プレート２４ａに着脱可能に係止された読取センサ１６ａの測定用光線の投射，受光を可能にする貫通窓孔２６ａが本体２５ａに設けられている。
【００５９】
貫通窓孔２６ａは、第１プレート２０ａの上部側にあって、貫通窓孔２６ａの下方には、ほぼ同じ形状の角孔２７ａが穿設されている。また、第１プレート２０ａの上端側の側面には、第１プレート２０の主面に対してほぼ直交するように、背面側に折曲された一対のフランジ部２８ａが、対向するように設けられており、各フランジ部２８ａの中心には、ねじ孔２９ａが設けられている。
【００６０】
さらに、第１プレート２０ａの下端側には、本体２５ａの主面に対してほぼ直交するように、前面側に折曲された下フランジ部３０ａが設けられている。下フランジ部３０ａには、貫通円孔が穿設され、この円孔の上面には、後述する伸縮ロッド７０ａの取付けが可能なナット３７ａが固設されている。
【００６１】
第２プレート２２ａは、第１プレート２０ａの上端側に着脱可能に取付けられ、取付け状態において、前面ガラスカバー１４ａの上面側に延設される。本実施例の場合、第２プレート２２ａは、全体形状がほほ正方形状に形成された本体３８ａを有し、本体３８ａのほぼ中央に貫通角孔３９ａが穿設されていて、重量軽減が図られている。
【００６２】
第２プレート２２ａの一端側（先端側）には、側方側から前方に突出する突出部４０ａが一対形成され、この突出部４０ａの下面には、薄い板状の永久磁石４２ａが、接着剤や両面テープなどにより固設されている。なお、磁石４２ａは、突出部４０ａの上面に固設してもよい。
【００６３】
また、第２プレート２２ａの他端側（基端側）には、主面に対して、上方に突出する段部４４ａが設けられており、段部４４ａには、その幅方向の両端に一対のフランジ４７ａが垂設されており、各フランジ４７ａの中心には貫通孔が穿設されている。
【００６４】
一対のフランジ４７ａは、第１プレート２０ａのフランジ部２８ａと位置対応するものであって、これらのフランジを重ね合わせると、ねじ孔２９ａと貫通孔とが挿通して、その内部にローレット加工のネジ３２ａの螺着が両側から可能になる。
【００６５】
さらに、段部４４ａの中央には、先端側が下方に向けて折曲されたＬ字状の突片５０ａが一体に設けられている。この突片５０ａは、第３プレート２４ａに読取センサ１６ａを保持させた際に、その上面側から当接して、読取センサ１６ａの移動ないしは脱落を防止する。
【００６６】
第３プレート２４ａは、第１プレート２０ａの上面に積層固設され、読取センサ１６ａを着脱可能に保持するものであって、第１実施例と同様に、幅方向の両端に読取センサ１６ａの側方に当接して、センサ１６ａの側方移動を規制する一対のガイド凸部５２ａが設けられている。
【００６７】
ガイド凸部５２ａの基端側には、第１実施例と同様に、平坦な取付部５４ａがそれぞれ形成され、一対の取付部５４ａの間には、取付部５４ａの上方に隆起する段部５６ａが設けられている。段部５６ａの先端には、読取センサ１６ａに取付けられる係止片５８ａが挿入される突起部６０ａが設けられており、本実施例の場合、第３プレート２４ａの構成は、第１実施例の第３プレート２４と実質的に同一構成になっている。
【００６８】
また、一対の取付部５４ａのほぼ中央には、図示は省略するが、第１実施と同様な、位置決め孔が穿設形成され、位置決め孔は、第１プレート２０ａに設けられている位置決め突起が挿入可能になっている。
【００６９】
このように構成された第３プレート２４ａは、第１実施例と同様に、位置決めを行った状態で、スポット溶接などにより積層固設され、第３プレート２４ａの積層固設位置は、貫通窓孔２６ａを閉塞することがない位置に設定されている。係止片５８ａは、第１実施例と同様に、読取センサ１６の前面にねじにより取り付けられる。
【００７０】
第３プレート２４ａの下フランジ部３０ａのナット３７ａには、伸縮ロッド７０ａの先端が着脱可能に取り付けられている。伸縮ロッド７０ａは、直径の異なる複数の中空ロッドを有していて、端部同士を螺着すことで、伸縮自在に構成されている。
【００７１】
伸縮ロッド７０ａは、図８に伸張した状態を示すように、本実施例の場合、３段構造になっているが、段数は任意に設定することができる。また、伸縮ロッド７０ａは、例えば、軽量な金属やプラスチックにより製作することができる。
【００７２】
次に、上記構成の支持装置１０ａを使用して、積算電力計１２ａの係数値を測定する方法について説明する。図９は、支持装置１０ａに読取センサ１６ａを保持させて、積算電力計１２ａの前面にこれを設置して、計数値を読み取る際の斜視図である。
【００７３】
計数値を読み取る場合には、まず、読取センサ１６ａを支持装置１０ａに保持させる。この際の読取センサ１６ａの保持操作の手順は、上記第１実施例で示した場合と実質的に同じなので、その説明を省略する。
【００７４】
読取センサ１６ａの保持が終了すると、次に、第２プレート２２ａを第１プレート２０ａに取り付ける。この取付に際しては、第２プレート２２ａのフランジ４７ａを第１プレート２０ａのフランジ部２８ａに一致させ、この状態で一対のローレット加工ネジ３２ａをねじ孔２９ａに螺着することで行う。
【００７５】
以上のようにして、第３プレート２４ａに読取センサ１６ａを保持させると、貫通窓孔２６ａに対して、読取センサ１６ａの窓部が臨むようにセットされ、窓部から測定用光線の発射，受光が可能になる。
【００７６】
また、第２プレート２２ａを第１プレート２０ａに対してローレット加工ネジ３２ａの螺着により取り付けると、突片５０ａの先端側が読取センサ１６ａの上面側に当接して、読取センサ１６ａの脱落を引防止する。
【００７７】
読取センサ１６ａの保持が終了すると、第１プレート２０ａを積算電力計１２ａの前面ガラスカバー１４の前面側に配置する。この際に、伸縮ロッド７０ａは、積算電力計１２ａの設置位置にあわせて伸縮させ、読取センサ１６ａが積算電力計１２ａのほぼ中心に位置するように調整する。
【００７８】
第１プレート２０ａを前面ガラスカバー１４ａの前面に当接させ、磁石４２ａを前面ガラスカバー１４ａの支持枠１８ａに当接させると、支持枠１８ａの前端面にこれが吸着する。
【００７９】
磁石４２ａが支持枠１８ａに吸着すると、読取センサ１６ａが所定の位置に固定され、読取センサ１６ａを駆動して、貫通窓孔３８ａから測定用光線の投射，受光を行うと、積算電力計１２ａの内部に設置されている電力使用量計数カウンタの計数値を読み取ることができる。
【００８０】
読取が終了すると、支持装置１０ａを前側に移動させて、支持枠１８ａから磁石４２ａを離間させると、読取センサ１６ａを保持した支持装置１０ａを積算電力計１２ａの前面ガラスカバー１４ａから離脱させることができる。
【００８１】
さて、以上のように構成した第２実施例の支持装置１０ａでも、上記第１実施例と同等の作用効果が奏されるとともに、特に本実施例の場合には、以下の作用効果も得られる。
【００８２】
すなわち、本実施例の場合には、支持装置１０ａは、第１プレート２０ａの下フランジ部３０ａに、伸縮可能な伸縮ロッド７０ａが取り付けられているので、高所に設置されている積算電力計１２ａであっても、伸縮ロッド７０ａを伸ばすことにより、読取センサ１６ａで正確な計数値の読み取りが可能になる。
【００８３】
また、伸縮ロッド７０ａは、下フランジ部３０ａに着脱可能に取り付けるので、取り外せば持ち運びも容易に行える。なお、上記第１および第２実施例において、符号８０ないしは８０ａで示した部分は、第１プレーと２０，２０ａの本体２５，２５ａの窓孔２６，２６ａの側方に設けた幅方向に突出する一対の舌片部であって、この舌片部８０，８０ａの幅方向の間隔が、積算電力計１２，１２ａの内部に設置されているモジュールの幅と同じ大きさになっている。このように構成された舌片部８０，８０ａは、支持装置１０，１０ａを積算電力計１２，１２ａの前面に配置する際に、モジュールが前面ガラスカバー１４，１４ａから目視することができるので、モジュールに舌片部８０，８０ａを合わせると確実に位置決めすることができる。また、舌片部８０，８０ａは、両端が電力計１２，１２ａの幅に対して、均等に収まるように位置決めすることもできる。
【産業上の利用可能性】
【００８４】
本発明にかかる積算電力計用読取センサの支持装置によれば、電力使用料金の計算に必要な電力計の計数値を正確に読み取ることが可能になるので、電力業界において有効に活用することができる。
【図面の簡単な説明】
【００８５】
【図１】本発明にかかる積算電力計用読取センサの支持装置の第１実施例の全体構成を示す斜視図である。
【図２】図１の支持装置の分解斜視図である。
【図３】図１に示した支持装置に読取センサを保持させる際の説明図である。
【図４】図１示した支持装置の第３プレートを第１プレートに固設する際の説明図である。
【図５】図１に示した支持装置の使用状態を示す斜視図である。
【図６】本発明に係る積算電力計用読取センサの支持装置の第２実施例の全体構成を示す斜視図である。
【図７】図６に示した支持装置の分解斜視図である。
【図８】図６に示した支持装置の伸縮ロッドを伸長させた際の斜視図である。
【図９】図６に示した支持装置の使用状態を示す斜視図である。
【符号の説明】
【００８６】
１０，１０ａ          支持装置
１２，１２ａ          積算電力計
１４，１４ａ          前面ガラスカバー
１６，１６ａ          読取センサ
１８，１８ａ          支持枠
２０，２０ａ          第１プレート
２２，２２ａ          第２プレート
２４，２４ａ          第３プレート
２６，２６ａ          貫通窓孔
４２，４２ａ          磁石
【図１】
2011185700.tif 000003
【図２】
2011185700.tif 000004
【図３】
2011185700.tif 000005
【図４】
2011185700.tif 000006
【図５】
2011185700.tif 000007
【図６】
2011185700.tif 000008
【図７】
2011185700.tif 000009
【図８】
2011185700.tif 000010
【図９】
2011185700.tif 000011